【手続補正書】
【提出日】平成18年12月25日(2006.12.25)
【手続補正１】
【補正対象書類名】特許請求の範囲
【補正対象項目名】全文
【補正方法】変更
【補正の内容】
【特許請求の範囲】
【請求項１】
第１の空間分割多重アクセス（ＳＤＭＡ）通信チャネルを、前記第１のＳＤＭＡ通信チャネル上に第１の信号を最初に送信する第１のユーザー端末に割り当てる段階と、
第２のＳＤＭＡ通信チャネルを、前記第２のＳＤＭＡ通信チャネル上に第２の信号を最初に送信する第２のユーザー端末に割り当てる段階と、
前記第１のユーザー端末が前記第２のＳＤＭＡ通信チャネルで前記第１の信号を送信していること、及び前記第２のユーザー端末が前記第１のＳＤＭＡ通信チャネルで前記第２の信号を送信していることを見つけるために、前記第１の信号と前記第２の信号を解析する段階と
を含むことを特徴とする方法。
【請求項２】
前記第１のユーザー端末の前記第２のユーザー端末への接近によって、前記第１のユーザー端末は前記第２のＳＤＭＡ通信チャネルで前記第１の信号を送信し、前記第２のユーザー端末は前記第１のＳＤＭＡ通信チャネルで前記第２の信号を送信することを特徴とする請求項１に記載の方法。
【請求項３】
前記第１のＳＤＭＡ通信チャネルと前記第２のＳＤＭＡ通信チャネルの１つ又は両方の不安定性によって、前記第１のユーザー端末が前記第２のＳＤＭＡチャネルで前記第１の信号を送信し、前記第２のユーザー端末が前記第１のＳＤＭＡ通信チャネルで前記第２の信号を送信することを特徴とする請求項１に記載の方法。
【請求項４】
前記第１の信号の通信チャネルを前記第２の信号の通信チャネルと交換する段階を更に含むことを特徴とする請求項１に記載の方法。
【請求項５】
前記第１の信号と前記第２の信号は、特定の出力が無効である符号化方式を使用して符号化され、前記第１の信号と前記第２の信号を解析する段階が、
前記第１の信号のデータストリーム又は前記第２の信号のデータストリームが無効ビットを含むか否かを決定する段階と、
前記第１のＳＤＭＡ通信チャネルと前記第２のＳＤＭＡ通信チャネルの両方の巡回冗長検査が通信チャネルエラーを示さないことを決定する段階と
を含むことを特徴とする請求項１に記載の方法。
【請求項６】
前記符号化方式は、適応差分パルス符号変調方式であることを特徴とする請求項５に記載の方法。
【請求項７】
前記無効出力は、ゼロビットを含むことを特徴とする請求項６に記載の方法。
【請求項８】
前記第１のユーザー端末が前記第２のＳＤＭＡ通信チャネルで前記第１の信号を送信しており、前記第２のユーザー端末が前記第１のＳＤＭＡ通信チャネルで前記第２の信号を送信しているとの決定の信頼性を高めるために、前記第１の信号と前記第２の信号を繰り返し解析する段階を更に含むことを特徴とする請求項７に記載の方法。
【請求項９】
前記第１の信号と前記第２の信号を解析する段階は、前記第１の信号と前記第２の信号の１つ又はそれ以上の物理的特性を解析する段階を含むことを特徴とする請求項１に記載の方法。
【請求項１０】
前記１つ又はそれ以上の物理的特性は、周波数オフセット、基地局への到達時間、空間シグネチャ、信号スペクトル、信号の到達方向、変調エラーベクトル絶対値から成るグループから選択されることを特徴とする請求項９に記載の方法。
【請求項１１】
前記第１のユーザー端末が前記第２のＳＤＭＡ通信チャネルで前記第１の信号を送信しており、前記第２のユーザー端末が前記第１のＳＤＭＡ通信チャネルで前記第２の信号を送信しているとの決定の信頼性を高めるために、前記第１の信号と前記第２の信号を繰り返し解析する段階を更に含むことを特徴とする請求項１０に記載の方法。
【請求項１２】
前記第１の信号と前記第２の信号はデータ通信信号であり、前記第１の信号と前記第２の信号を解析する段階は、第１の通信レイヤエラー検出プロセスの結果を第２の通信レイヤエラー検出プロセスの結果と比較する段階を含むことを特徴とする請求項４に記載の方法。
【請求項１３】
前記第１のユーザー端末が前記第２のＳＤＭＡ通信チャネルで前記第１の信号を送信しており、前記第２のユーザー端末が前記第１のＳＤＭＡ通信チャネルで前記第２の信号を送信していることを決定する段階は、前記第１の通信レイヤエラー検出プロセスの結果が前記第２の通信レイヤエラー検出プロセスの結果と不整合であることを決定する段階を含むことを特徴とする請求項１２に記載の方法。
【請求項１４】
前記第１の通信レイヤは物理レイヤであり、前記第２の通信レイヤはデータリンクレイヤであり、前記第１の通信レイヤエラー検出プロセスはエラーが無いことを示し、前記第２の通信レイヤエラー検出プロセスはエラーを示すことを特徴とする請求項１３に記載の方法。
【請求項１５】
前記第１の信号の通信チャネルを前記第２の信号の通信チャネルと交換するオペレーションは、前記物理レイヤ、前記データリンクレイヤ、通信レイヤ階層の後続の通信レイヤから成るグループから選択された通信レイヤで達成されることを特徴とする請求項１２に記載の方法。
【請求項１６】
別個のＳＤＭＡチャンネルを他の２つの通信端末に割当るように動作するプロセッサを有する通信端末であって、上記ＳＤＭＡチャンネルの夫々は同じ搬送波周波数の１つと、同じタイムスロットを有し、また上記他の２つの通信端末の１つ又は両者が他の２つの端末の一方に割当てられたＳＤＭＡチャンネルに信号を送信するように決定するために上記他の２つの通信端末の１つ又は両方の信号を解析することを特徴とする通信端末。
【請求項１７】
前記２つの他の通信端末の各々からの信号は、特定の出力が無効である符号化方式を使用して符号化され、前記２つの他の通信端末の１つ又は両方の信号を解析する段階は、
前記２つの他の通信端末のいずれかの信号のデータストリームが無効ビットを含むか否かを決定する段階と、
ＳＤＭＡ通信チャネルの両方の巡回冗長検査が通信チャネルエラーを示さないことを決定する段階と、
を含むことを特徴とする請求項１６に記載の通信端末。
【請求項１８】
前記符号化方式は、適応差分パルス符号変調方式であることを特徴とする請求項１７に記載の通信端末。
【請求項１９】
前記無効出力は、ゼロビットを含むことを特徴とする請求項１８に記載の通信端末。
【請求項２０】
前記２つの他の通信端末の１つ又は両方が前記２つの他の通信端末の他方に割り当てられたＳＤＭＡチャネルで信号を送信しているとの決定の信頼性を高めるために、前記基地局は、前記２つの他の通信端末の各々からの信号を繰り返し解析することを特徴とする請求項１９に記載の通信端末。
【請求項２１】
前記２つの他の通信端末の１つ又は両方の信号を解析する段階は、前記２つのユーザー端末の各々からの信号の１つ又はそれ以上の物理的特性を解析する段階を含むことを特徴とする請求項１６に記載の通信端末。
【請求項２２】
前記１つ又はそれ以上の物理的特性は、周波数オフセット、基地局への到達時間、空間シグネチャ、信号スペクトル、信号の到達方向、変調エラーベクトル絶対値から成るグループから選択されることを特徴とする請求項２１に記載の通信端末。
【請求項２３】
前記２つの他の通信端末の１つ又は両方が、前記２つの他の通信端末の他方に割り当てられたＳＤＭＡチャネル上に信号を送信しているとの決定の信頼性を高めるために、前記基地局は、前記２つの他の通信端末の各々からの信号を繰り返し解析することを特徴とする請求項２２に記載の通信端末。
【請求項２４】
前記２つの他の通信端末の各々からの信号は、データ通信信号であり、前記２つのユーザー端末の各々からの信号を解析する段階は、第１の通信レイヤエラー検出プロセスの結果を第２の通信レイヤエラー検出プロセスの結果と比較する段階を含むことを特徴とする請求項１６に記載の通信端末。
【請求項２５】
前記２つの他の通信端末の１つ又は両方が前記２つのユーザー端末の他方に割り当てられたＳＤＭＡチャネルで信号を送信していると決定する段階は、前記第１の通信レイヤエラー検出プロセスの結果が、前記第２の通信レイヤエラー検出プロセスの結果と不整合であることを決定する段階を含むことを特徴とする請求項２４に記載の通信端末。
【請求項２６】
前記第１の通信レイヤは物理レイヤであり、前記第２の通信レイヤはデータリンクレイヤであり、前記第１の通信レイヤエラー検出プロセスは、エラーが無いことを示し、前記第２の通信レイヤエラー検出プロセスはエラーを示すことを特徴とする請求項２５に記載の通信端末。
【請求項２７】
別個のＳＤＭＡチャンネルを他の２つの通信端末に割当るように動作するプロセッサを有する通信端末であって、上記ＳＤＭＡチャンネルの夫々は同じ搬送波周波数の１つと、同じタイムスロットを有し、また上記他の２つの通信端末の１つ又は両者が他の２つの端末の一方に割当てられたＳＤＭＡチャンネルに信号を送信するように決定するために上記他の２つの通信端末の１つ又は両方の信号を解析することを特徴とする加入者端末。
【請求項２８】
別個のＳＤＭＡチャンネルを他の２つの通信端末に割当るように動作するプロセッサを有する通信端末であって、上記ＳＤＭＡチャンネルの夫々は同じ搬送波周波数の１つと、同じタイムスロットを有し、また上記他の２つの通信端末の１つ又は両者が他の２つの端末の一方に割当てられたＳＤＭＡチャンネルに信号を送信するように決定するために上記他の２つの通信端末の１つ又は両方の信号を解析することを特徴とするベース・ステーション。
【請求項２９】
デジタル処理システムによって実行されるとき、前記デジタル処理システムに方法を実行させる１つ又はそれ以上の実行可能な命令を記憶した機械可読媒体であって、前記方法が、
第１の空間分割多重アクセス（ＳＤＭＡ）通信チャネルを、前記第１のＳＤＭＡ通信チャネル上に第１の信号を最初に送信する第１のユーザー端末に割り当てる段階と、
第２のＳＤＭＡ通信チャネルを、前記第２のＳＤＭＡ通信チャネル上に第２の信号を最初に送信する第２のユーザー端末に割り当てる段階と、
前記第１のユーザー端末が前記第２のＳＤＭＡ通信チャネルで前記第１の信号を送信しており、前記第２のユーザー端末が前記第１のＳＤＭＡ通信チャネルで前記第２の信号を送信しているのを見つけるために、前記第１の信号と前記第２の信号を解析する段階と
を含むことを特徴とする機械可読媒体。
【請求項３０】
第１の空間分割多重アクセス（ＳＤＭＡ）通信チャネル上に第１のユーザー端末への第１の信号を送信する段階と、
第２空間分割多重アクセス（ＳＤＭＡ）通信チャネル上に第２のユーザー端末への第２の信号を送信する段階と、
前記第１のユーザー端末が前記第２のＳＤＭＡ通信チャネル上で前記第１の信号を受信していること、及び前記第２のユーザー端末が前記第１のＳＤＭＡ通信チャネル上で前記第２の信号を受信していることを見つけるために、前記第１の信号と前記第２の信号を解析する段階と
を含むことを特徴とする方法。
【請求項３１】
前記第１のユーザー端末の前記第２のユーザー端末への接近によって、前記第１のユーザー端末は前記第２のＳＤＭＡ通信チャネルで前記第１の信号を受信し、前記第２のユーザー端末は前記第１のＳＤＭＡ通信チャネルで前記第２の信号を受信することを特徴とする請求項３０に記載の方法。
【請求項３２】
前記第１のＳＤＭＡ通信チャネル及び前記第２のＳＤＭＡ通信チャネルの１つ又は両方の不安定性によって、前記第１のユーザー端末は前記第２のＳＤＭＡ通信チャネル上で前記第１の信号を受信し、前記第２のユーザー端末は前記第１のＳＤＭＡ通信チャネル上で前記第２の信号を受信することを特徴とする請求項４０に記載の方法。
【請求項３３】
前記第１の信号の通信チャネルを前記第２の信号の通信チャネルと交換する段階を更に含むことを特徴とする請求項３０に記載の方法。
【請求項３４】
前記第１の信号と前記第２の信号は、特定の出力が無効である符号化方式を使用して符号化され、前記第１の信号と前記第２の信号を解析する段階は、
前記第１の信号のデータストリーム又は前記第２の信号のデータストリームが無効ビットを含むか否か決定する段階と、
前記第１のＳＤＭＡ通信チャネル及び前記第２のＳＤＭＡ通信チャネルの両方の巡回冗長検査が通信チャネルエラーを示さないことを決定する段階と、
を含むことを特徴とする請求項３０に記載の方法。
【請求項３５】
前記符号化方式は適応差分パルス符号変調方式であることを特徴とする請求項３４に記載の方法。
【請求項３６】
前記第１の信号と前記第２の信号を解析する段階は、前記第１の信号と前記第２の信号の１つ又はそれ以上の物理的特性を解析する段階を含むことを特徴とする請求項３０に記載の方法。
【請求項３７】
前記１つ又はそれ以上の物理的特性は、周波数オフセット、基地局への到達時間、空間シグネチャ、信号スペクトル、信号の到達方向、変調エラーベクトル絶対値から成るグループから選択されることを特徴とする請求項３６に記載の方法。
【請求項３８】
前記第１のユーザー端末が前記第２のＳＤＭＡ通信チャネル上で前記第１の信号を受信しており、前記第２のユーザー端末が前記第１のＳＤＭＡ通信チャネル上で前記第２の信号を受信しているという決定の信頼性を高めるために、前記第１の信号と前記第２の信号を繰り返し解析する段階を更に含むことを特徴とする請求項３７に記載の方法。